(57)【要約】      （修正有）【課題】虫などの異物が入り込むことを防止することができ、しかも、簡単に包装部材を取り除いて、海苔の巻かれたおにぎりを取り出すことができる包装三角おにぎりを提供する。【解決手段】包装三角おにぎり１は、略三角形のおにぎり本体２と、該おにぎり本体２を包装する海苔入りの包装部材３よりなり、包装部材３は、帯状の外部フィルムと、帯状の内部フィルムと、外部フィルムと内部フィルムの間に挟まれた海苔を有し、外部フィルムの中心線に沿ってミシン目またはハーフカットによる切断補助線７が形成されており、おにぎり本体２の底辺中央から頂点部を結ぶ線に切断補助線７が実質的に重なるように合わせて海苔入り包装部材３がおにぎり本体２を包んでおり、頂点部において包装部材３の封止部８が形成されている。【選択図】図１
0003171977.tif 000002
【実用新案登録請求の範囲】
【請求項１】
略三角形のおにぎり本体と、おにぎり本体を包装する海苔入りの包装部材よりなる包装三角おにぎりであり、
包装部材は、帯状の外部フィルムと、帯状の内部フィルムと、外部フィルムと内部フィルムの間に挟まれた海苔を有し、外部フィルムの中心線に沿ってミシン目またはハーフカットによる切断補助線が形成されており、
おにぎり本体の底辺中央から頂点部を結ぶ線に切断補助線が実質的に重なるように合わせて海苔入り包装部材がおにぎり本体を包んでおり、
頂点部において包装部材の封止部が形成されていることを特徴とする包装三角おにぎり。
【請求項２】
切断補助線がミシン目により形成されており、外部フィルムの内面側にはミシン目に沿って外気遮断フィルムが取り付けられている請求項１に記載の包装三角おにぎり。
【請求項３】
切断補助線を有する封止シールによって包装部材の合わせ部が封止されていて、この封止シールの切断補助線が外部フィルムの切断補助線に沿って合わせられた請求項１または請求項２に記載の包装三角おにぎり。
【考案の詳細な説明】
【技術分野】
【０００１】
この考案は、海苔入りの包装部材おにぎり本体が海苔と接しないように包装されたおにぎりに関するものである。
【背景技術】
【０００２】
特許文献１などには、外装材フィルムと内装材フィルムの間に海苔を封入した包装体の外装材フィルムに開封用条体を設け、この包装体でおにぎりを包むことが記載されている。ここで、開封用条体とはカットテープのことである。この包装おにぎりの頂点にカットテープの端部があり、この端部をつかんでカットテープを引くことにより外装材フィルムが切断される。その後、包装体の左右端部を引くことに取って、包装体がおにぎりから抜き取られる。
【先行技術文献】
【特許文献】
【０００３】
【特許文献１】特開平５−１６２７６８号公開特許公報
【考案の概要】
【考案が解決しようとする課題】
【０００４】
特許文献１などに記載された包装おにぎりは、カットテープによって包装体を切断でき、おにぎり本体に触れることなく包装体を取り除いて、海苔に巻かれた状態のおにぎりを取り出すことができる。しかも、包装されている時は、海苔はおにぎり本体に接していないので、乾燥した状態を保つことができる。
【０００５】
しかし、三角形のおにぎりを特許文献１などの包装体で包装すると、三角形の各角部においてフィルムが突出した耳部が形成される。そして、折り畳みだけではその耳部を完全に密閉することができない。包装おにぎりを店頭に置いている間に、この耳部の開口から虫などの異物が内部に入ることがある。特に、夏の夜間においては、コンビニエンスストアの中に虫が入りやすく、その虫がおにぎりに入ること多くなり、クレームが寄せられている。
【０００６】
そこで、３隅の耳部を封じることが考えられる。底辺の２隅については、耳部を折り返して粘着テープやシールで止めることができる。しかし、頂点にはカットテープの先端部があり、ここにシールなどを貼ると、カットテープの先端部をつまみ出すことができなくなる。
【０００７】
また、特許文献１などの包装おにぎりを開封するためには、カットテープで包装体を縦に切断した後、さらに、左右に引っ張って包装体を抜き取らなければならない。
【０００８】
この考案は、虫などの異物が入り込むことを防止することができ、しかも、簡単に包装部材を取り除いて、海苔の巻かれたおにぎりを取り出すことができる包装三角おにぎりを提供することを目的とする。
【課題を解決するための手段】
【０００９】
上述の課題を解決するため、この考案の包装三角おにぎりは、略三角形のおにぎり本体と、おにぎり本体を包装する海苔入りの包装部材よりなる包装三角おにぎりであり、包装部材は、帯状の外部フィルムと、帯状の内部フィルムと、外部フィルムと内部フィルムの間に挟まれた海苔を有し、外部フィルムの中心線に沿ってミシン目またはハーフカットによる切断補助線が形成されており、おにぎり本体の底辺中央から頂点部を結ぶ線に切断補助線が実質的に重なるように合わせて海苔入り包装部材がおにぎり本体を包んでおり、頂点部において包装部材の封止部が形成されていることを特徴とする。切断補助線をミシン目で形成する場合、外部フィルムの内面側はミシン目に沿って外気遮断フィルムが取り付けられる。また、切断補助線を有する封止シールの切断補助線を外部フィルムの切断補助線に沿って合わせて、包装部材の合わせ部が封じられる。
【考案の効果】
【００１０】
この考案の包装三角おにぎりは、頂点部において包装部材が封止部で閉じられており、虫などの異物が内部に入ることが防止される。底部の２隅を左右に引くだけで開封され、包装部材を取り外して、海苔が巻かれた状態のおにぎりを簡単に取り出すことができる。
【図面の簡単な説明】
【００１１】
【図１】包装三角おにぎりを示す斜視図である。
【図２】包装部材を示す平面図である。
【図３】同背面図である。
【図４】同Ａ−Ａ断面図である。
【図５】包装部材におにぎり本体をのせた状態を示す斜視図である。。
【考案を実施するための形態】
【００１２】
この考案を実施するための形態について図面に基づいて説明する。図１は包装三角おにぎりを示す斜視図、図２は包装部材を示す平面図、図３は同背面図、図４は同断面図である。この考案の包装三角１は、略三角形のおにぎり本体２と、おにぎり本体２を包装する海苔入りの包装部材３よりなる。包装部材３は、帯状の外部フィルム４と、帯状の内部フィルム５と、外部フィルム４と内部フィルム５の間に挟まれた海苔６を有する。外部フィルム５の中心線に沿ってミシン目またはハーフカットによる切断補助線７が形成されている。そして、おにぎり本体２の底辺中央から頂点部を結ぶ線に切断補助線７が実質的に重なるように合わせて海苔入り包装部材３がおにぎり本体２を包んでいる。頂点部において包装部材３の封止部８が形成されている。
【００１３】
この考案において、おにぎりは概ね三角形状の典型的なものである。おにぎり本体とは、三角形おにぎりの形状を有する米飯の塊りのことであり、海苔や包装材は含まない。
【００１４】
海苔入りの包装部材３について、詳細に説明する。外部フィルム４は一枚の帯状フィルムで構成され、おにぎり本体を包装したときに、外側に表れるフィルムである。一方、内部フィルム５は外部フィルム４の幅の半分よりやや広い程度の幅を有する二枚の帯状フィルム５ａ，５ｂである。内部フィルム５はおにぎり本体を包装したときに、おにぎり本体に接する。
【００１５】
内部フィルム５ａ，５ｂの外側の側端部は所定の幅で、外部フィルム４の側端部に接着されている。この帯状の接着部を側部接着部９とする。側部接着部９は、フィルムの溶着により形成することができる。また、外部フィルム４の中央線付近において、内部フィルム５ａ，５ｂの側端部は所定の幅で重なりあっている。この中央部では、内部フィルム５ａ，５ｂは重なり合っているだけで接着されていないので、引っ張り力が左右から加えられれば、そのまま分離される。
【００１６】
以上、外部フィルム４と内部フィルム５とにより袋の形状が形成される。そして、外部フィルム４と内部フィルム５の間に海苔６が挟まれている。外部フィルム４と内部フィルム５とは上辺および下辺でも溶着等により接着され、海苔６が密封される。
【００１７】
ここまでの説明に関する限り、この海苔入りの包装部材は、すでに普及している三角形のおにぎりの包装部材とほぼ共通である。しかし、この考案の包装部材は、外部フィルムの中心線に沿ってミシン目またはハーフカットによる切断補助線を有する。この考案では、従来の包装部材に採用されているカットテープは切断補助線に含まない。本例においては、切断補助線７はミシン目により形成されており、外部フィルム４の内面側にはミシン目に沿って外気遮断フィルム１１が取り付けられている。この外気遮断フィルム１１によりミシン目を通して空気の進入を遮断し、内部の海苔６が湿るのを防止する。
【００１８】
図５は、包装部材におにぎり本体をのせた状態を示す斜視図である。内部フィルム５を上に向けて包装部材３を置き、その中央部あるいはやや手前寄りにおにぎり本体２をのせる。おにぎり本体２の底辺を包装部材３の長さ方向に対して垂直に向け、おにぎり本体２の底辺中央を包装部材３の幅中央に合わせる。そして、包装部材３の上辺部と下辺部をそれぞれ持ち上げて、おにぎり本体２を包む。このとき、おにぎり本体２の底辺中央から頂点部を結ぶ線と、切断補助線がほぼ重なる。
【００１９】
図５において手前側の面をおにぎり本体２の背面とすると、まず、図５の手前部分の包装部材３を本体２の背面に当てる。おにぎり本体２の三角形の斜辺に沿って包装部材３を折り曲げながら、おにぎり本体２を包んでいく。同じことを、図５の奥側部分の包装部材３でも行う。こうして、包装部材３の上辺がおにぎり本体２の背面に重ね合わせられる。この包装部材３の端部の合わせ部に封止シール１２を貼って、閉じる。ここで、封止シール１２には１本または２以上の平行な切断補助線１３（たとえばミシン目）が設けられていて、この部分は粘着材が付されていない非粘着帯１４となっている。この封止シール１２の切断補助線１３が包装部材３の切断補助線７に沿って合わされている。
【００２０】
こうして、おにぎり本体２は包装部材３によってほぼ包まれるが、３角形の角部には、包装部材３の端部によって形成される耳部１５が突出した状態になる。そして、この耳部はある程度、開いた状態であり、外気や異物の進入を完全に防ぐことはできない。そこで、この耳部１３に封止部を形成する。封止部の形態については特に制限はなく、おにぎりが包装されてから消費されるまでの間、異物の進入を防止できるのに十分なものであればよい。たとえば、熱溶着やシールによって封止したり、角部で折り返した後に端部を粘着テープでおにぎり本体部の側面上に止めてもよく、それらの組合せでもよい。
【００２１】
三角形の下部の２つの角部１５ａ，１５ｂでは、封止部を形成するのには特に問題はない。一方、頂点においては、従来の包装三角おにぎりでは、カットテープの先端部があることより、封止部を設けることができなかった。シールや粘着テープなどを頂点部に貼り付けるとカットテープの先端部をつかむことができなくなり、包装部材の開封ができなくなるからである。しかし、この考案の包装三角おにぎりではカットテープは使用されておらず、頂点部１５ｃに封止部８を作ることに妨げとなるようなものはない。
【００２２】
こうして、この考案の包装三角おにぎりの頂点１５ｃには封止部８が設けられているので、頂点部１５ｃから虫などの異物が進入することが防止され、衛生的である。
【００２３】
つぎに、包装三角おにぎり１の開封について説明する。開封は、包装部材３を左右に引っ張るだけで行うことができる。例えば、下辺の両角部の耳部１５ａ，１５ｂなど包装部材３のつかみやすいところを持って、左右に引っ張る。ミシン目またはハーフカットによる切断補助線７に沿って、外部フィルム４が切断される。封止シール１２も切断補助線１３に沿って切断される。また、内部フィルム５ａ，５ｂも左右に分かれる。そのまま引っ張り続けると、内部フィルム５は外部フィルム４とともに取り外され、海苔６に包まれた状態のおにぎりが現れる。
【００２４】
従来の包装三角おにぎりでは、カットテープを引いて外部フィルムを切断する作業と、包装部材を左右に引いて取り除く作業の２段階が必要であった。しかし、この考案の包装三角おにぎりでは、包装部材を左右に引く、という一つの作業だけで開封することができる。
【符号の説明】
【００２５】
１．包装三角おにぎり
２．おにぎり本体
３．包装部材
４．外部フィルム
５．内部フィルム
６．海苔
７．切断補助線
８．頂点部の封止部
１１．外気遮断フィルム
１２．封止シール
【図１】
0003171977.tif 000003
【図２】
0003171977.tif 000004
【図３】
0003171977.tif 000005
【図４】
0003171977.tif 000006
【図５】
0003171977.tif 000007